(57)【要約】      （修正有）【課題】コンテンツを提供可能な外部機器に格納されているコンテンツを再生し、再生を途中で止めた後に、再生を途中で止めたコンテンツの情報をユーザに提供できるようにする。【解決手段】表示パネル１０６と、外部機器１１０から伝送されたコンテンツを再生する再生部１０５と、再生中のコンテンツの再生を停止または一時停止するためのユーザの操作を検出する指示検出部１０２と、前記ユーザの操作を検出した場合、再生が停止されたコンテンツの再生を再開するのに必要な再生再開情報を取得し、前記再生再開情報を再生再開情報記憶部１０８に格納する再生再開情報取得部１０７と、再生再開情報に応じて前記再生が停止されたコンテンツの情報を前記表示パネルに表示するコンテンツ提示部１０９とを具備する。【選択図】図１
2009259345.tif 000002
【特許請求の範囲】
【請求項１】
表示パネルと、
外部機器から伝送されたコンテンツを再生する手段と、
前記再生中のコンテンツの再生を停止または一時停止するためのユーザの操作を検出する手段と、
前記検出手段が前記ユーザの操作を検出した場合、前記コンテンツの伝送の停止を前記外部機器へ指示する手段と、
前記検出手段が前記ユーザの操作を検出した場合、前記再生が停止されたコンテンツの再生の再開に必要な再生再開情報を取得する手段と、
前記再生再開情報を記憶装置に格納する情報格納手段と、
前記再生再開情報に応じて前記再生が停止されたコンテンツの情報を前記表示パネルに表示するための表示手段と
を具備することを特徴とする表示装置。
【請求項２】
前記表示パネルに表示されている情報からユーザが再生の再開を選択したコンテンツを検出する手段と、
前記検出されたコンテンツが格納されている外部機器に対して前記再生再開情報に応じて前記再生が停止された位置から前記再生が停止されたコンテンツの伝送を指示する手段とを更に具備することを特徴とする請求項１に記載の表示装置。
【請求項３】
前記記憶装置には、複数の外部機器のそれぞれに格納されている前記再生が停止されたコンテンツに係わる再生再開情報が格納されることを特徴とする請求項１に記載の表示装置。
【請求項４】
前記情報格納手段は、前記再生再開情報として、前記再生が停止されたコンテンツの再生停止時の画像データを前記記憶装置に格納することを特徴とする請求項１に記載の表示装置。
【請求項５】
前記コンテンツの再生に期限が設けられている場合、前記情報格納手段は、前記再生再開情報として、前記コンテンツの再生期限を前記記憶装置に格納し、
前記表示手段は、前記表示パネルに表示される情報として前記コンテンツの再生期限を加えることを特徴とする請求項１に記載の表示装置。
【請求項６】
外部機器から伝送されたコンテンツを再生し、
前記再生中のコンテンツの再生を停止するためのユーザの操作を検出し、
前記ユーザの操作を検出した場合、前記コンテンツの伝送の停止を前記外部機器へ指示し、
前記ユーザの操作を検出した場合、前記再生が停止されたコンテンツの再生の再開に必要な情報を含む再生再開情報を取得し、
前記再生再開情報を記憶装置に格納し、
前記再生再開情報に応じて前記再生が停止されたコンテンツの情報を表示パネルに表示する
ことを特徴とするコンテンツの再生制御方法。
【請求項７】
前記表示パネルに表示されている情報からユーザが再生の再開を選択したコンテンツを検出し、
前記検出されたコンテンツが格納されている外部機器に対して前記再生再開情報に応じて前記再生が停止された位置から前記再生が停止されたコンテンツの伝送を指示する
ことを特徴とする請求項６に記載のコンテンツの再生制御方法。
【請求項８】
前記記憶装置には、複数の外部機器のそれぞれに格納されている前記再生が停止されたコンテンツに係わる再生再開情報が格納されることを特徴とする請求項６記載のコンテンツの再生制御方法。
【請求項９】
前記再生再開情報として、前記再生が停止されたコンテンツの再生停止時の画像データが前記記憶装置に格納されることを特徴とする請求項６に記載のコンテンツの再生制御方法。
【請求項１０】
前記コンテンツの再生に期限が設けられている場合、前記コンテンツの再生期限を前記再生再開情報として前記記憶装置に格納し、
前記表示パネルに表示される情報として前記コンテンツの再生期限を表示することを特徴とする請求項６に記載のコンテンツの再生制御方法。
【発明の詳細な説明】
【技術分野】
【０００１】
本発明は、外部装置から伝送されたコンテンツを再生して表示する装置、およびコンテンツの再生制御方法に関する。
【背景技術】
【０００２】
ＤＶＤプレーヤーなどの再生装置や、ＨＤＤレコーダなどの録画装置等において、コンテンツを再生途中に停止や一時停止をした後、その後再生を指示した場合に、一時停止した場面の続きから再生する機能が存在する。
【０００３】
しかし、この機能を利用するためには、利用者が一時停止をしたコンテンツとその機器を覚えておき，その再生機器や録画機器を直接操作する必要がある。
【０００４】
したがって，従来，利用者が再生が一時停止されたコンテンツを再生する場合に，そのようなコンテンツとそのコンテンツの存在する機器を記憶し、ＴＶなどのシンク機器の電源を入れてから、再生装置や録画装置を操作する必要があった。
【０００５】
特許文献１には、テレビ放送を受信し、放送番組の画像データを記録する記録媒体を有する受信装置において、記録された画像データの再生指示を示す情報を含むチャンネル情報を記憶しておくことによって、通常の放送チャンネルの切り替え操作と同様の操作により、簡単に記録媒体に記録されたコンテンツの再生、視聴を可能にする技術が開示されている。
【特許文献１】特開２００６−３０２３３７号公報
【発明の開示】
【発明が解決しようとする課題】
【０００６】
外部機器から伝送されるコンテンツを再生／表示する装置は、外部機器のコンテンツの再生状態を把握することが出来ず、再生途中のコンテンツがあった場合にも、外部機器自体を操作して始めてその状態に気づくことになった。
【０００７】
本発明の目的は、コンテンツを提供可能な外部機器に格納されているコンテンツを再生し、再生を途中で止めた後に、再生を途中で止めたコンテンツの情報をユーザに提供することが可能な表示装置、およびコンテンツの再生制御方法を提供することにある。
【課題を解決するための手段】
【０００８】
本発明の一例に係わる表示装置は、表示パネルと、外部機器から伝送されたコンテンツを再生する手段と、前記再生中のコンテンツの再生を停止または一時停止するためのユーザの操作を検出する手段と、前記検出手段が前記ユーザの操作を検出した場合、前記コンテンツの伝送の停止を前記外部機器へ指示する手段と、前記検出手段が前記ユーザの操作を検出した場合、前記再生が停止されたコンテンツの再生の再開に必要な再生再開情報を取得する手段と、前記再生再開情報を記憶装置に格納する情報格納手段と、前記再生再開情報に応じて前記再生が停止されたコンテンツの情報を前記表示パネルに表示するための表示手段とを具備することを特徴とする。
【０００９】
本発明の別の一例に係わるコンテンツの再生制御方法は、外部機器から伝送されたコンテンツを再生し、前記再生中のコンテンツの再生を停止するためのユーザの操作を検出し、前記ユーザの操作を検出した場合、前記コンテンツの伝送の停止を前記外部機器へ指示し、前記ユーザの操作を検出した場合、前記再生が停止されたコンテンツの再生の再開に必要な情報を含む再生再開情報を取得し、前記再生再開情報を記憶装置に格納し、前記再生再開情報に応じて前記再生が停止されたコンテンツの情報を表示パネルに表示する。
【発明の効果】
【００１０】
コンテンツを提供可能な外部機器に格納されているコンテンツを再生し、再生を途中で止めた後に、再生を途中で止めたコンテンツの情報をユーザに提供することが可能になる。
【発明を実施するための最良の形態】
【００１１】
本発明の実施の形態を以下に図面を参照して説明する。
【００１２】
図１は、本発明の一実施形態に係わる映像コンテンツ再生装置としての表示装置および外部機器を含むコンテンツ再生システムの構成を示すブロック図である。
【００１３】
例えばＴＶやモニター、ＰＣなどコンテンツの再生、情報の表示などを行うことが可能な表示装置１０１は、指示検出部１０２、操作部１０３、外部機器インターフェース１０４、再生部１０５、表示パネル１０６、再生再開情報取得部１０７、再生再開情報記憶部１０８、コンテンツ提示部１０９等を有する。
【００１４】
表示装置１０１は、外部機器インターフェース１０４に接続された外部機器１１０から映像コンテンツの提供を受ける。外部機器１１０は、ＤＶＤプレーヤ、ＨＤＤレコーダ、セットトップボックス等の機器である。
【００１５】
指示検出部１０２は、ユーザがリモコン等を用いた、映像コンテンツの選択、再生、一時停止、停止等の操作指示を検出する。操作部１０３は、指示検出部１０２が検出したユーザの操作指示に応じて、外部機器インターフェース１０４、および再生再開情報取得部１０７を操作する。
【００１６】
外部機器インターフェース１０４は、映像、音声および制御情報などの情報を外部機器１１０との間で交換するために設けられている。外部機器インターフェース１０４は、例えばＣＥＣ機能を搭載したＨＤＭＩ（登録商標）規格やＥｔｈｅｒｎｅｔ（登録商標）など外部機器の制御可能な信号の伝送が可能であることが必須である。
【００１７】
再生部１０５は、外部機器インターフェース１０４より取得した映像コンテンツに含まれる映像データおよび音声データに対してデコードなどの再生処理を行う。表示パネル１０６は、再生部１０５によって再生された映像の表示を行う。表示パネル１０６は、例えば、液晶パネルやプラズマパネルなどである。
【００１８】
再生再開情報取得部１０７は、指示検出部１０２がユーザからの一時停止指示、または停止指示を指示検出部１０２が検出した場合に、一時停止／停止後の再生再開に必要な情報を再生部１０５から取得し、再生再開情報記憶部１０８に記憶する。再生再開情報記憶部１０８に記憶される情報は、例えば、停止、一時停止を指示された機器、機器が接続されていたインターフェースの種類、コンテンツの再生停止位置、再生停止日時、コンテンツのタイトルや内容、コンテンツ長といったコンテンツ情報などである。コンテンツがデジタル放送を録画したものであった場合、コンテンツの再生停止位置としてタイムスタンプを取得する。
【００１９】
コンテンツ提示部１０９は、利用者が表示装置１０１の電源を投入した場合や、図示されないリモコンに設けられている視聴推薦ボタンを押したときなどの任意の時点で、再生再開情報記憶部１０８から再生再開情報を取得する。再生再開情報が存在した場合、コンテンツ提示部１０９は取得した再生再開情報を元に、一時停止されたコンテンツの情報を表示パネル１０６に表示する。
【００２０】
次に、本装置の再生時、および一時停止／停止時の処理の手順について図２のフローチャートを参照して説明する。  
ユーザが、外部機器１１０を操作して映像コンテンツを通常再生する場合について説明する。
【００２１】
ユーザがリモコン等を用いて外部機器１１０に格納されているコンテンツのリスト表示を指示操作する。指示検出部１０２は、指示に応じて外部機器インターフェース１０４に対して、外部機器１１０が有するコンテンツの情報の取得を指示する。外部機器インターフェース１０４は、外部機器１１０に対して格納されている映像コンテンツの情報の伝送を要求する。映像コンテンツの情報が伝送されると、外部機器インターフェース１０４は、外部機器１１０に対して格納されている映像コンテンツの情報を表示パネル１０６に表示する（ステップＳ１１）。
【００２２】
そして、ユーザが、任意の映像コンテンツの選択操作、および再生指示操作をリモコン等を用いて行う。指示検出部１０２は、映像コンテンツの選択および再生指示を検出する。指示検出部１０２は、映像コンテンツの選択および再生指示を外部機器１１０への操作情報に変換し、外部機器インターフェース１０４を介して、外部機器１１０に伝送することで、映像コンテンツの再生が開始される（ステップＳ１２）。
【００２３】
外部機器１１０の提供するコンテンツの再生中に、利用者が、停止や一時停止を指示したとする。この場合、利用者が、リモコン等を用いてコンテンツの停止や一時停止を指示し、指示検出部１０２が停止／一時停止の指示を検出する（ステップＳ１３）。指示検出部１０２が停止／一時停止の指示を操作部１３０に通知する。操作部１０３は停止／一時停止の指示を制御情報に変換し、外部機器インターフェース１０４を介して外部機器１１０に送出することで外部機器１１０の制御を行う（ステップＳ１４）。外部機器１１０はこの操作指示を受けて映像コンテンツの停止や一時停止を行う。
【００２４】
一方、操作部１０３は、停止や一時停止の指示を再生再開情報取得部１０７に伝達する。停止／一時停止指示を通知された再生再開情報取得部１０７は、停止／一時停止後の再生再開に必要な情報を再生部１０５から取得し（ステップＳ１５）、取得した再生再開情報を再生再開情報記憶部１０８に格納する（ステップＳ１６）。再生再開情報記憶部１０８に格納される再生再開情報は、例えば、停止／一時停止を指示された機器、機器が接続されていたインターフェースの種類、映像コンテンツの再生停止位置（時間）、再生停止日時、コンテンツのタイトルや内容、コンテンツ長といったコンテンツ情報などである。再生再開情報取得部１０７が表示装置１０１内で必要な再生再開情報のすべてを取得できない場合は、外部機器インターフェース１０４を介して、外部機器１１０から必要な再生再開情報を取得してもかまわない。
【００２５】
以上で、再生、および停止／一時停止時の本装置１０の処理の説明を終了する。次に、再生が一時停止されたコンテンツがある場合に表示装置１０１がユーザに提示される情報について詳細に説明する。
【００２６】
図３のフローチャートを参照して、再生が途中停止されたコンテンツ情報の提示と、コンテンツの再生再開を指示した場合の処理の手順について具体的に説明する。
【００２７】
利用者が表示装置１０１の電源を投入した場合や、図示されないリモコンの視聴推薦ボタンを押したときなどの任意の時点で、コンテンツ提示部１０９は、再生再開情報記憶部１０８から再生再開情報の取得を試みる（ステップＳ２１）。再生再開情報が存在した場合（ステップＳ２１のＹＥＳ）、コンテンツ提示部１０９は、取得した再生再開情報に基づいて一時停止されたコンテンツの情報を表示パネル１０６に表示する（ステップＳ２２）。
【００２８】
図４は、コンテンツ提示部１０９が提示し、表示装置１０１の表示パネル１０６に表示した表示例である。図４では、外部機器１１０としての録画装置２０５がＨＤＭＩケーブルを介して表示装置１０１に接続されている。また、外部機器１１０としてＤＬＮＡ（Digital Living Network Alliance）サーバとして動作可能なノートブック型パーソナルコンピュータ２０７がＥｔｈｅｒｎｅｔ（登録商標）ケーブル２０９およびハブ２０８を介して表示装置１０１に接続されている。録画装置２０５は、表示装置１０１と同じ居間に設置されている。コンピュータ２０７は、書斎に設置されている。
【００２９】
コンテンツ提示部１０９は、取得した再生再開情報を元に視聴途中のコンテンツの情報を、例えば、ウィンドウ２０３、２０４のように利用者に提示する。図４に示すように、ウィンドウ２０３には、録画装置２０５に記録され、過去に再生途中で停止されたコンテンツの情報が表示されている。また、ウィンドウ２０４には、書斎のコンピュータ２０７に記録され、過去に再生途中で停止されたコンテンツの情報が表示されている。ウィンドウ２０３、２０４では、取得したコンテンツ情報を用いて、再生が一時停止されたコンテンツを保持する機器情報、コンテンツのタイトルや総録画時間、コンテンツが再生停止された位置などの情報が表示されている。
【００３０】
例えば、ウィンドウ２０３においては、再生途中のコンテンツが、居間に設けられた録画装置２０５上にあり、タイトルが「どげんかせんといかん」で、総再生時間が２時間１０分のうち、１時間３０分の位置で再生停止されたことが表示されている。また、ウィンドウ２０４においては、再生途中のコンテンツが、書斎に設けられたコンピュータ２０７上にあり、タイトルが「はにかみゴルフ」で、総再生時間が１時間３０分のうち、４５分の位置で再生停止されたことが表示されている。
【００３１】
これらの表示により、利用者は、再生が途中停止されたコンテンツの情報を表示装置１０１上で知ることが容易になる。また、コンテンツ提示部１０９が複数機器のコンテンツを提示することで、外部機器が複数あっても表示装置１０１の操作のみで、複数機器で再生が途中停止されたコンテンツの一覧が可能となる。
【００３２】
さらに、再生再開情報内に先頭画像をサムネイルデータを埋め込んでおき、提示内容に再生再開時の先頭画像をサムネイルとして同時に提示することで、利用者のコンテンツの把握を容易にすることも可能である。さらに、視聴期限が限られているコンテンツに関しては、再生再開情報内に視聴期限を埋め込んでおいて、同時に視聴期限も提示することで、利用者が再生すべきコンテンツの順序を決定する場合の利便を図ることも可能となる。
【００３３】
続いて、ウィンドウ２０３，２０４に情報が表示されているコンテンツの再生を再開する場合を説明する。利用者はリモコン等によって再生を再開するコンテンツを指示操作する。指示検出部１０２は、利用者の指示操作を検出し（ステップＳ２３）、再生を再開するコンテンツの情報を操作部１０３に渡す。操作部１０３は、渡された情報を元に外部機器の操作に必要なコンテンツの再生再開情報を再生再開情報取得部１０７により取得する（ステップＳ２４）。例えば、再生再開情報取得部１０７は、再生再開情報記憶部１０８内の情報から、例えば機器がＨＤＭＩケーブルによって接続された録画装置２０５であり、コンテンツは「どげんかせんといかん」で、その再生停止位置は１時間３０分であるという情報を取得する。
【００３４】
操作部１０３は、取得した情報に基づいて外部機器インターフェース１０４に操作コマンド送ることで対応する外部機器を操作して（ステップＳ２５）、利用者が指定したコンテンツの過去の再生停止位置からの再生を行う。
【００３５】
例えば、操作部１０３は、この情報を元に、外部機器インターフェース１０４、具体的にはＨＤＭＩインターフェースに操作コマンド（ＨＤＭＩ−ＣＥＣ）を送ることで録画装置２０５を操作して、利用者が指定したコンテンツの過去の再生停止位置からの再生を行う。この時、もし、録画装置２０５の電源が入っていない場合は、ＨＤＭＩ−ＣＥＣコマンドを用いて録画装置２０５の電源投入操作を行っても良い。
【００３６】
また、コンピュータ２０７で再生が途中停止されたコンテンツの再生再開を利用者が指示したとする。利用者はコンテンツの再生再開を指示し、指示検出部１０２は利用者の指示を検出する。指示検出部１０２は、指示の情報を操作部１０３に渡す。操作部１０３は、渡された情報を基に外部機器の操作に必要なコンテンツの再生再開情報を再生再開情報取得部１０７から取得する。再生再開情報取得部１０７は、再生再開情報に格納された情報より、例えば、機器がＥｔｈｅｒｎｅｔ接続されたコンピュータ２０７であり、コンテンツは「はにかみゴルフ」で、その再生停止位置は４５分であるという情報を取得する。
【００３７】
操作部１０３は、この情報を元に、外部機器インターフェース１０４およびＥｔｈｅｒｎｅｔケーブルを介してコンピュータ２０７に操作コマンドを送ることで、コンピュータ２０７を操作して利用者が指定したコンテンツの過去の再生停止位置からの伝送を行わせる。この時、もし、コンピュータ２０７の電源が入っていない場合は、Ｗａｋｅ  Ｏｎ  Ｌａｎコマンドを用いてコンピュータ２０７の電源投入操作を行っても良い。
【００３８】
以上、本装置によれば、利用者が表示装置のみの操作で過去に一時停止されたコンテンツを一覧することが可能であると共に、該当するコンテンツの再生も表示装置の操作のみで可能であるため、利用者の再生操作の簡便化が図れる。
【００３９】
なお、居間の表示装置１０１でコンピュータ２０７に格納されているコンテンツを視聴していたが、途中でコンテンツの再生を止め、残りを寝室に設置された表示装置で視聴出来るようにしても良い。
【００４０】
例えば、図５に示すように、寝室に設置された表示装置３０１が設置されている。表示装置３０１は、表示パネル３０６を有する。表示パネル３０６には、居間に設置されていた表示装置１０１の再生再開情報記憶部１０８に格納されている再生再開情報に基づいた再生途中のコンテンツの情報が表示されている。
【００４１】
表示装置３０１は、利用者が電源を投入した場合や、図示されないリモコンに設けられている視聴推薦ボタンを押したときなどの任意の時点で、表示装置１０１に対して再生再開情報記憶部１０８に格納されている再生再開情報の伝送を要求する。表示装置１０１は、再生再開情報記憶部１０８に格納されている再生再開情報から表示装置３０１で再生可能なコンテンツに関する再生情報だけを表示装置１０１に選択的に伝送する。例えば、録画装置２０５は、ＤＬＮＡサーバとして動作せず、表示装置３０１にコンテンツを伝送することが出来ない。そこで、表示装置１０１は、録画装置２０５に格納されているコンテンツの再生再開情報が再生再開情報記憶部１０８に格納されていても、その再生再開情報を表示装置に３０１に伝送しない。
【００４２】
よって、図５に示す表示パネル３０６には、ＤＬＮＡサーバとして動作するコンピュータ２０７に格納され、再生再開情報記憶部１０８に再生再開情報が格納されているコンテンツの情報を示すウィンドウ２０４のみが表示されている。
【００４３】
利用者が、表示パネル３０６に表示されているウィンドウ２０４に関連するコンテンツの再生を指示すると、取得している再生再開情報に応じて、コンテンツが格納されているコンピュータ２０７に対してコンテンツの再生が停止された箇所からの伝送を指示する。そして、コンテンツが伝送されたら，表示装置はコンテンツの再生を行って表示パネル３０６にコンテンツを表示する。
【００４４】
なお、寝室に設置された表示装置３０１の構成は、図１に示す表示装置１０１の構成と同様である。但し、表示装置１０１に対して再生再開情報を取得するための部位を有する。
【００４５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４６】
【図１】本発明の一実施形態に係わるコンテンツ再生装置および外部機器を含むコンテンツ再生システムを示すブロック図。
【図２】図１に示す表示装置の再生時、および一時停止／停止時の処理の手順を示すフローチャート。
【図３】再生が途中停止されたコンテンツ情報の提示と、コンテンツの再生再開を指示した場合の処理の手順を示すフローチャート。
【図４】コンテンツ提示部が表示パネルに表示する情報の例を示す図。
【図５】寝室に設けられた表示装置のコンテンツ提示部が表示パネルに表示する情報の例を示す図。
【符号の説明】
【００４７】
１０１…表示装置，１０２…指示検出部，１０３…操作部，１０４…外部機器インターフェース，１０５…再生部，１０６…表示パネル，１０７…再生再開情報取得部，１０８…再生再開情報記憶部，１０９…コンテンツ提示部，１１０…外部機器，１３０…操作部，２０３．２０４…ウィンドウ，２０５…録画装置，２０７…ノートブック型パーソナルコンピュータ，２０８…ハブ，２０９…ケーブル。
【図１】
2009259345.tif 000003
【図２】
2009259345.tif 000004
【図３】
2009259345.tif 000005
【図４】
2009259345.tif 000006
【図５】
2009259345.tif 000007